(57)【要約】【課題】ステーにおけるボルト貫通部の周辺部に大きな力が作用しないような構成とすることにより、ステーの寿命を長くするとともに、緩やかな傾斜屋根等から急勾配の屋根までの広範囲に亘り利用することのできるエアコン室外機の屋根置台を提供すること。【解決手段】本発明に係るエアコン室外機の屋根置台は、後座板と、前座板２と、この両者間に架け渡される支持部材３とを備える。そして、支持部材３は、エアコン室外機を載置するためのベース４と、ベース４の前端部に取り付けられる連結部材５と、ベース４の前端部を支持するステー６とを備える。連結部材５は、ステー６を上下方向に貫通させる貫通穴部５１を備え、この貫通穴部５１に対し、ステー６をスライド式に移動可能とするとともに、適宜の位置で固定可能とする。貫通穴部５１は、壁が環状に配置された環状壁部５２により形成されることが好ましい。【選択図】図１
2008045825.tif 000002
【特許請求の範囲】
【請求項１】
屋根の高い側に配置される後座板と、屋根の低い側に配置される前座板と、この後座板、前座板間に架設されるエアコン室外機を載置する一対の支持部材とを備えたエアコン室外機の屋根置台であって、
前記支持部材は、下端が前座板に支持されるステーと、後端が後座板に支持されるとともに前端がステーに支持されて略水平に配置される、エアコン室外機を載置するためのベースと、ステーとベースとを連結固定するために前記ベースの前端に取り付けられる連結部材とを有し、
該連結部材は、前記ベースの前端部に取り付けられた状態において、ベースの前端部の前方にステーを上下方向に貫通させてスライド式に貫通位置を可変にする貫通穴部が形成されるとともに、適宜の貫通位置でステーに対し固定可能に構成されている
ことを特徴とするエアコン室外機の屋根置台。
【請求項２】
前記ベースは、少なくとも上壁及び左右の側壁を有する型材からなり、前記連結部材は、前記貫通穴部を形成するように壁が環状に配置された環状壁部と、この環状壁部の両側からベース側に突出する一対の取付片とから成るとともに、前記貫通穴部がステーの平断面形状に対応する形状に形成され、さらに、一対の取付片がベースの内部に挿入されてベースの両側壁に固定されるように構成されていることを特徴とする請求項１記載のエアコン室外機の屋根置台。
【請求項３】
前記連結部材は、環状壁部と一対の取付片との間に段部が形成されて、環状壁部がベースの内寸幅より幅広く形成されていることを特徴とする請求項２記載のエアコン室外機の屋根置台。
【請求項４】
前記連結部材の高さ寸法を、前記ベースの高さ寸法と略同一としたことを特徴とする請求項１〜３の何れか１項に記載のエアコン室外機の屋根置台。
【請求項５】
前記連結部材は、高さ方向に押し出された押出型材からなることを特徴とする請求項１〜４の何れか１項に記載のエアコン室外機の屋根置台。
【請求項６】
前記連結部材は、貫通穴部を形成する前壁にボルト孔を有し、前記ステーは、前壁に長手方向に伸びるスリットを有し、このスリットと前記ボルト孔とにまたがって挿入されるボルトにより連結部材とステーとが固定され、これによりベースの前端部とステーとが固定的に連結されることを特徴とする請求項１〜５の何れか１項に記載されているエアコン室外機の屋根置台。
【請求項７】
前記ステーは、前壁、左右の側壁及び後壁を備えた筒状の押出型材からなるとともに、前壁には前記スリットが形成され、さらに、前壁におけるスリットの内側には前記ボルトの頭部をスライド式に収納する溝部が形成されていることを特徴とする請求項６に記載のエアコン室外機の屋根置台。
【請求項８】
前記ベースは、上壁、左右の側壁及び下壁を備えた断面形状が略四角形であって、上壁には室外機取付用の防振材を取り付けるための長手方向のスリットが形成されている押出型材からなることを特徴とする請求項１〜７の何れか１項に記載のエアコン室外機の屋根置台。
【発明の詳細な説明】
【技術分野】
【０００１】
本発明は、エアコン室外機の屋根置台に関し、特に、屋根の高い側の位置に配置される後座板と、屋根の低い側の位置に配置される前座板と、後座板と前座板との間に架け渡される一対の支持部材とを備えたエアコン室外機の屋根置台に関する。
【背景技術】
【０００２】
従来、このような室外機の屋根置台において、支持部材は、エアコン室外機を載置するための、略水平に配置されるベースと、ベースの前端部と前座板との間に架設されて、ベースの前端部を所定高さ位置に支持するステーとを備えている。また、従来の室外機の屋根置台では、いろいろな傾斜角度の屋根に対して据付可能とするために、ベースの前端部の高さを調整可変とする機構が設けられている。この機構としては、ベースの前端を下方に折り曲げ、ステーがこの折り曲げ部を前方から覆いながら高さ方向にスライド可能に構成され、任意の位置でステーがベースの折り曲げ部にボルト止めされる構成（以下従来技術Ａという）のものが知られている。また、これとは別に、ステー自体を上部ステーと下部ステーの上下２部品で構成するとともに、下部ステーが上部ステーを前方から覆いながら高さ方向にスライド可能に構成され、任意のスライド位置で下部ステーが上部ステーに対しボルト止めされる構成のもの（以下従来技術Ｂという）が知られている。従来技術Ａに係る公知文献としては特許文献１、特許文献２、特許文献３などがあり、従来技術Ｂに係る公知文献としては特許文献４、特許文献５、特許文献６などがある。
【特許文献１】特開平９−２３６２８７号公報
【特許文献２】特開平１０−１７００３１号公報
【特許文献３】特開２００１−２３５１８６号公報
【特許文献４】特開２００１−３５５８７９号公報
【特許文献５】特開２００６−１２５５８４号公報
【特許文献６】特開２００６−１４５０９０号公報
【発明の開示】
【発明が解決しようとする課題】
【０００３】
ところが、従来のものでは、何れの方式においても、前方から覆うステー又は下部ステーの前壁に高さ方向の長孔が形成されるとともに、覆われる側のベースの折り曲げ部又は上部ステーにはボルト孔が形成され、この長孔とボルト孔とにまたがってボルトが挿通されてナット止めされている。このため、エアコン室外機がベース上に載置された状態において、エアコンの荷重によるモーメントによりボルトに軸心方向の力が作用し、この力によりボルトを固定しているボルト貫通部の周辺部（この場合は長孔の孔縁部）が変形又は破損され易くなっていた。この結果、ステー又は下部ステーの寿命が短くなるという問題があった。また、ベース前端の折り曲げ部又は上部ステーがある程度の長さに形成されているため、ベース前端の高さ位置をベース前端の折り曲げ部又は上部ステーの長さ以下にすることができなかった。このため、後座板が支持される位置と前座板が支持される位置との傾斜角度が緩やかな用途、例えば、緩やかに傾斜する屋根、建物周辺に形成される犬走りのように緩やかに傾斜する地面などに利用することが困難であった。
【０００４】
本発明は、従来品のこのような問題に鑑み成されたものであって、ステーにおけるボルト貫通部の周辺部に大きな力が作用しないような構成とすることにより、ステーの寿命を長くしたエアコン室外機の屋根置台を提供することにある。また、本発明は、緩やかに傾斜する屋根、地面などから急勾配の屋根までの広範囲に亘り利用することのできるエアコン室外機の屋根置台を提供することにある。
【課題を解決するための手段】
【０００５】
本発明に係るエアコン室外機の屋根置台は、上記課題を解決するものであって、屋根の高い側に配置される後座板と、屋根の低い側に配置される前座板と、この後座板、前座板間に架設されるエアコン室外機を載置する一対の支持部材とを有する。また、前記支持部材は、下端が前座板に支持されるステーと、後端が後座板に支持されるとともに前端がステーに支持されて略水平に配置される、エアコン室外機を載置するためのベースと、ステーとベースとを連結固定するために前記ベースの前端に取り付けられる連結部材とを有する。さらに、該連結部材は、前記ベースの前端部に取り付けられた状態において、ベースの前端部の前方にステーを上下方向に貫通させてスライド式に貫通位置を可変にする貫通穴部が形成されるとともに、適宜の貫通位置でステーに対し固定可能に構成されている。
【０００６】
以上の構成を特徴とする本発明に係るエアコン室外機の屋根置台によれば、ステーを連結部材の貫通穴部内に貫通させてスライド式に移動可能かつ固定可能としているので、固定する貫通位置を設定することによりベースの前端部の高さを所定位置に調節することができる。また、この場合において、ベースに載置されるエアコンの荷重によるモーメントは、貫通穴部を形成する前面側及び後面側の壁面により支持されるため、従来のようにボルト止めをした場合であっても、ボルト周辺に局部的に力が作用することがない。このため、局部的な力によるステー又は連結部材の変形や破損を回避することができる。この結果、複雑な補強構造を形成することなく寿命を長くすることができる。また、連結部材の高さ寸法を小さくすることにより、ベースの前端部の高さを低い位置に調整することもできるので、緩やかに傾斜する屋根、地面などから急勾配の屋根に至る広範囲の用途に適用することができる。
【０００７】
また、前記ベースは、少なくとも上壁及び左右の側壁を有する型材からなり、前記連結部材は、前記貫通穴部を形成するように壁が環状に配置された環状壁部と、この環状壁部の両側から突出する一対の取付片とから成るように構成されていることが好ましい。そして、前記貫通穴部がステーの平断面形状に対応する形状に形成され、さらに、一対の取付片がベースの内部に挿入されてベースの両側壁に固定されるように構成されていることが好ましい。このように構成すると、連結部材の貫通穴部が環状壁部に形成されるため、連結部材の強度及び剛性が大きくなる。
【０００８】
また、前記連結部材は、環状壁部と一対の取付片との間に段部が形成されて、環状壁部がベースの内寸幅より幅広く形成されていることが好ましい。このように構成すれば、この段部により連結部材のベースへの差込位置が位置決めされるので、屋根置台の組立作業性が向上する。
【０００９】
また、前記連結部材の高さ寸法を、前記ベースの高さ寸法と略同一とすることが好ましい。このようにすると、ベースの下面が前座板の上面に付く程度まで、ベースの前端部の高さ位置を下げることができるので、設置場所の傾斜角度の下限を小さくすることができる。したがって、緩やかに傾斜する屋根、地面などから急勾配の屋根までの広範囲に亘り使用範囲を拡大することができる。
【００１０】
また、前記連結部材は、高さ方向に押し出された押出型材とすることが好ましい。仮に、連結部材を板金折り曲げ加工により製作すると、貫通穴部の平面形状を角型に形成することが困難であり、惹いてはステーの平断面形状を角型に形成することが困難になる。このため、外観設計における制約が大きくなり見栄えのする外観を形成することが困難になる。しかし、連結部材をこのように押出型材とすると、所望の平面形状の貫通穴部を容易に形成することができる。したがって、連結部材を、見栄えの良好なものにすることができるとともに、ステーを円滑にスライドさせるように形成することができる。
【００１１】
また、前記連結部材は、貫通穴部を形成する前壁にボルト孔を有し、前記ステーは、前壁に長手方向に伸びるスリットを有し、このスリットと前記ボルト孔とにまたがって挿入されるボルトにより連結部材とステーとが固定され、これによりベースの前端部とステーとが固定的に連結されるようにすることが好ましい。このようにすると、前面からボルト締結操作ができるので、屋根置台の組立作業性が向上する。
【００１２】
また、この場合において、前記ステーは、前壁、左右の側壁及び後壁を備えた筒状の押出型材からなるとともに、前壁には前記スリットが形成され、さらに、前壁におけるスリットの内側には前記ボルトの頭部をスライド式に収納する溝部が形成されていることが好ましい。ステーをこのように構成すると、ステーの強度が向上するとともに、見栄えが良好になり、さらに、ボルトの位置調製が容易になるので締結作業が容易になる。また、ステーの外形形状を、連結部材の貫通穴部に対応する形状に設定することが容易となり、連結部材の貫通穴部に対するステーのスライドを円滑にすることができる。
【００１３】
また、前記ベースは、上壁、左右の側壁及び下壁を備えた断面形状が略四角形であって、上壁には室外機取付用の防振材を取り付けるための長手方向のスリットが形成されている押出型材からなることが好ましい。このようにすると、ベースの外観を向上させ得るとともに、ベースの強度を向上させることができる。また、前記連結部材の取付時において、連結部材の取付部をベースの内部に挿入したときに、連結部材がベースに対する取付位置で仮保持されるので、屋根置台の組立作業性が向上する。
【発明の効果】
【００１４】
本発明に係るエアコン室外機の屋根置台によれば、エアコン載置時に、ステー固定用のボルト頭部又はナット周辺の板材に大きな力が作用しなくなるので、屋根置台の寿命を長くすることができる。また、連結部材の高さ寸法を小さくすることにより、ベースの前端部の高さを低くすることができるので、緩やかに傾斜する屋根、地面などから急勾配の屋根に至る広範囲の用途に適用することができる。
【発明を実施するための最良の形態】
【００１５】
以下、本発明を具体化した実施の形態に係るエアコン室外機の屋根置台を図面に基づいて説明する。本実施の形態に係るエアコン室外機の屋根置台は、エアコン室外機を、長手方向が屋根Ｒの傾斜方向と直角の方向となるように設置するものであって、図２に本実施の形態に係るエアコン室外機の据付状態の斜視図を示す。この図２に示すように、本実施の形態に係るエアコン室外機の屋根置台は、後座板１と、前座板２と、一対の支持部材３とを有している。後座板１は、屋根Ｒの高い側に配置されて、屋根Ｒの傾斜方向に直交する方向を長手方向として配置される。前座板２は、屋根Ｒの低い側に配置されて、屋根Ｒの傾斜方向に直交する方向を長手方向として配置される。一対の支持部材３は、エアコン室外機を載置するものであって、後座板１と前座板２との間に架け渡される。
【００１６】
後座板１は、図２〜図４に示すように、水平に形成された取付壁部１１と、取付壁部１１の前端から下方鉛直方向に形成された連結壁部１２と、取付壁部１１の前端と連結壁部１２の下端とを連結する接触壁部１３とから筒状体に形成されたものであって、アルミニウム又はアルミ系合金製の押出型材からなる。なお、図３は本実施の形態に係るエアコン室外機の屋根置台据付状態の側面図であり、図４はベースの後端部を後座板に取り付けている部分の断面図である。
【００１７】
ここで、取付壁部１１は、支持部材３を構成するベース４の後端部を取り付ける壁面を成す。このために、取付壁部１１の内側には、ベース４を取り付ける締結具としてのボルト１５の頭部１５ａを長手方向に摺動可能に収納するとともに、ボルト１５のねじ部１５ｂをスリット１４ａから上方に突出させる溝部１４が形成されている。溝部１４の幅はボルト１５の頭部１５ａの対向する２辺間の寸法より少し大きくしたもので、溝部１４内でボルト１５が回転しない程度の幅寸法に形成されている。そして、このボルト１５にナット１６を締結することにより、支持部材３を構成するベース４の後端部を後座板１に固定するように構成されている。また、接触壁部１３は、中間部を曲面部１３ａとすることにより取付壁部１１の前端と連結壁部１２の下端とを連結可能とするとともに、この曲面部１３ａにおいて屋根Ｒと接触するように構成されている。
【００１８】
また、接触壁部１３には、図４に示すように、連結壁部１２より前方に突出した第１突出部１７と、取付壁部１１より上方に突出した第２突出部１８とが形成され、この第１突出部１７及び第２突出部１８を利用して、屋根Ｒとの接触部に屋根足１９が取り付けられている。屋根足１９は、後座板１が瓦の上に載置されることにより瓦を損傷させないようにするためのクッション機能を有する樹脂製の保護具である。この実施の形態における屋根足１９は、図２〜図４に示すように、屋根Ｒ上における滑り止め効果が良好となるように、表面が側方から見て波状に形成されている。
【００１９】
前座板２は、この後座板１と同一のものであって、取付壁部が前方となるように設置方向の向きを変えて屋根Ｒ上に載置されたものである。すなわち、前座板２は、図２、図３及び図５に示すように、取付壁部２１、連結壁部２２、接触壁部２３、溝部２４、ボルト２５、ナット２６、屋根足２９を有している。なお、図５はステーの下端部を前座板に取り付けている部分の断面図である。そして、これら構成要素は、それぞれ後座板１における取付壁部１１、連結壁部１２、接触壁部１３、溝部１４、ボルト１５、ナット１６、屋根足１９に該当する。また、接触壁部２３の曲面部２３ａ、溝部２４のスリット２４ａ、第１突出部２７及び第２突出部２８は、それぞれ接触壁部１３の曲面部１３ａ、溝部１４のスリット１４ａ、第１突出部１７及び第２突出部１８に該当する。また、ボルト２５の頭部２５ａ及びねじ部２５ｂは、ボルト１５の頭部１５ａ及びねじ部１５ｂに該当する。ただし、前座板２における溝部２４には、支持部材３を構成するステー６の下端部が取り付けられる。
【００２０】
支持部材３は、エアコン室外機を載置するためのベース４と、ベース４の前端部に取り付けられる連結部材５と、ベース４の前端部を支持するステー６とを有する。
ベース４は、図２及び図３に示すように、後座板１から前方に伸びるように配置されている。また、ベース４は、図６に示すように、水平に配置された平面状かつ帯状の上壁４１と、この上壁４１の左右に垂設された側壁４２と、上壁に対向する下面位置に形成されている下壁４３とを備えている。また、上壁４１には防振材４４を取り付けるためのスリット４５が形成されているとともに、上壁４１と下壁４３との間には、図６に示すように、スリット４５を挟むように２個のリブ４６が長手方向に延びるように形成されている。さらに、ベース４の両側壁４２には、連結部材５を取り付けるねじを挿入するための孔４７がそれぞれ２個形成されている。また、ベース４の後端部の下壁４３には、図４に示すように、後座板１に取り付けるためのボルト孔４８が形成されている。さらに、ベース４の後端部の上壁４１には、ボルト締結による取付を容易にするための切欠４９が設けられている（図２参照）。以上の構成を備えたベース４は、アルミニウム又はアルミ系合金製の押出型材から形成されている。
【００２１】
連結部材５は、図１〜図３に示すように、ベースの前端部とステーとを連結固定するための部材であり、ステー６が連結部材５に固定されることにより、ベース４の前端部が支持される。なお、図１はステー６の取付部を示した斜視図である。この連結部材５は、ベース４の前端部に取り付けられた状態において、ベース４の前端部の前方にステー６を上下方向に貫通させてスライド式に貫通位置を可変にする貫通穴部５１を形成するとともに、適宜の貫通位置でステー６と連結部材５とを固定するものである。このために、連結部材５は、図６に示すように、貫通穴部５１を形成するように壁が環状に配置された環状壁部５２と、この環状壁部５２から突出してベース４の内部に挿入される一対の取付片５３とから構成されている。なお、図６はベース前端部における連結部材５とステー６の分解斜視図である。
【００２２】
そして、貫通穴部５１は、ステー６の平断面形状に対応する形状に形成されており、一対の取付片５３には、ベース４の両側壁４２に形成されたねじ用の孔４７に対応する位置にタッピングねじ孔５４が形成されている。さらに、環状壁部５２の前壁５２ａには、ステー６との固定を行うためのボルト孔５５が形成されている。
【００２３】
また、連結部材５は、環状壁部５２と一対の取付片５３との間に段部５６が形成されており、環状壁部５２がベース４の内寸幅より幅広く形成されている。一対の取付片５３を挿入したときにこの段部５６がベース４の前端に当接する位置で取付片５３のタッピングねじ孔５４とベース４の左右の側壁４２に形成されたねじを挿入するための孔４７とが対応するように形成されている。また、連結部材５の高さ寸法は、ベース４の高さ寸法と略同一に、より詳しくは筒状のベース４の内寸高さと略同一に形成されている。このように形成するのは、ベース４が前座板２に当接する状態をベース４の前端部の最下限位置とするためである。また、連結部材５は、高さ方向に押し出されたアルミニウム又はアルミ系合金製の押出型材を使用したものであって、所定高さに切断したものである。
【００２４】
ステー６は、図１に示すように、ベース４の前端部と前座板２との間に架け渡されており、下端部は前座板２に固定されている。ステー６は、図５及び図７に示すように、前壁６１、左右の側壁６２及び後壁６３を備えた略筒状のアルミニウム又はアルミ系合金製の押出型材から成る。なお、図５はステー６の下端部を前座板２に取り付けている部分の断面図であり、図７は連結部材５を介してステー６とベース４とを連結固定した状態における連結部の平断面図である。また、前壁６１には長手方向の略全長に亘りスリット６４が形成されている。さらに、前壁６１の内面側には、スリット６４の内部側にステー６と連結部材５とを固定するためのボルト６５の頭部６５ａを長手方向にスライド可能に収納するとともに、ボルト６５のねじ部６５ｂをスリット６４から前方に突出させる溝部６６が形成されている。溝部６６の幅はボルト６５の頭部６５ａの対向する２辺間の寸法より少し大きくしたもので、溝部６６内でボルト６５が回転しない程度の幅寸法に形成されている。そして、図７に示すように、このねじ部６５ｂに連結部材５のボルト孔５５が嵌め込まれ、ナット６７が締結されることにより、連結部材５とステー６とが固定されている。
【００２５】
また、ステー６の下端部には、図１〜図３及び図５に示すように、側壁６２を方形状に切り欠いた切欠部６８が形成されている。そして、切欠部６８の前後方向の寸法は、切欠部６８を前座板２の連結壁部２２に載置した状態で、溝部６６の背面が前座板２の取付壁部の表面に当接する程度とする。また、溝部２４に頭部２５ａが収納されたボルト２５のねじ部２５ｂをスリット６４に挿通し、このねじ部２５ｂにナット２６を締結することにより、ステー６の下端部が前座板２に固定されている。
【００２６】
次に以上のように構成された本実施の形態に係るエアコン室外機の屋根置台の組み立て方について説明する。
まず、支持部材３を予め一対それぞれ組み立てておく。また、この組立に際しては、まず、連結部材５にステー６を固定する。この固定を行う手順を図８に示す。初めに、図８（ａ）に示すように、連結部材５の環状壁部５２の前壁５２ａのボルト孔５５にボルト６５を挿入し、ねじ部６５ｂにナット６７を緩く締めておく。次いで、ステー６を連結部材５の貫通穴部５１に対し上方又は下方から挿入しながら、ボルトの頭部６５ａが溝部６６内に滑り込むようにする（図８（ｂ）参照）。そして、屋根の傾斜角度に合わせて連結部材５に対するステー６との固定位置を定め、その位置で図７のように、連結部材５とステー６とを固定する。
【００２７】
次に、連結部材５をベース４の前端部に連結部材５を取り付ける。この取付は、図１及び図６に示すように、連結部材５の一対の取付片５３をベース４の内部に挿入し、段部５６がベース４の前端に当接するのを確認する。連結部材５の高さ寸法は、筒状のベース４の内寸高さに略一致するように形成されているので、段部５６がベース４の前端に当接した状態で、ベース４の側壁４２のねじ用の孔４７と取付片５３のタッピングねじ孔５４とが略対応する。ここでタッピングねじ５７により、連結部材５をベース４の前端部に取り付ける。これにより、ステー６とベース４の前端部との連結固定が行われ支持部材の仮組み立てが完了する。
【００２８】
次いで、仮組み立てされた支持部材３の後端部、つまりベース４の後端部を後座板１に取り付けるとともに、仮組み立てされた支持部材３の前端端部、すなわち、ステー６の下端部を前座板２に取り付ける。
【００２９】
支持部材３の後端部の後座板１への取付は、図３及び図４に示すように、ベース４を取り付けるためのボルト１５のねじ部１５ｂが上方に突出するように、後座板１の溝部１４にボルト１５の頭部１５ａを収納し、所定位置まで摺動させる。次に、ベース４の後端部における下壁４３に形成されたボルト孔４８にボルト（六角ボルト）１５のねじ部１５ｂを挿通させる。次いで、上方からナット１６を締結する。このようにして、一対の支持部材３の後端部を後座板１に仮固定する。
【００３０】
次に、支持部材３の前端部の前座板２への取付は、ステー６の下端部の方形状の切欠部６８における水平方向の端面を連結壁部２２に沿わせるように載置する。この載置に先立ちボルト２５の頭部２５ａを溝部２４内に挿入させておき、載置の際にねじ部２５ｂの先端をステー６の前壁６１に設けられたスリット６４に貫通させる。そして、図３及び図５に示すように、前座板２の長手方向における略所定位置で、ナット２６を締結してステー６の下端部を前座板２に取り付ける。このようにして、一対の支持部材３の前端部を前座板２に仮固定する。
【００３１】
以上のようにして仮組みされた屋根置台を屋根Ｒの上に持ち上げ、所定の位置に後座板１及び前座板２が配置されるように屋根置台を載置する。次いで、後座板１及び前座板２の屋根に接触する部分に屋根足１９，２９を取り付ける。屋根足１９，２９は、接触壁部１３，２３の第１突出部１７，２７及び第２突出部１８，２８に屋根足１９，２９の端部の係合部を係合させて取り付けられる。次に、図２に示すように、後座板１を針金７１により建築物の壁面に繋留して保持する。針金７１の一端はヒートン釘７２により建築物の壁面に固定され、他端は後座板１に巻き付けて固定される。そして、屋根Ｒの傾斜に対応してベース４が水平に保持されるように、ステー６の高さを最終調整する。また、支持部材３が所定位置に固定されているかを確認し、最終調整する。以上のように組み立てられ、据え付けられた屋根置台には、ベース４の上面に防振材４４が固定される。
【００３２】
本実施の形態に係るエアコンの屋根置台は、傾斜角度が大きい屋根Ｒに設置する場合は図２及び図３に示したような状態で設置されるが、傾斜角度が小さい屋根Ｒや地面などに設置する場合は、図９の側面図に示すように、連結部材５のステー６に対する固定位置が下方に設定される。すなわち、この図３及び図９から分かるように、連結部材５のステー６に対する固定位置を高くすることにより、傾斜角度の大きい屋根Ｒへの設置に対応することができ、連結部材５のステー６に対する固定位置を低くすることにより、傾斜角度の小さい屋根Ｒや地面などへの設置に対応することができる。なお、屋根Ｒや地面などの設置場所の傾斜角度が変化しても、ベース４が水平に保持されるとともに、ステー６が鉛直方向に保持されることから、後座板１の取付壁部１１は常に水平方向となり、前座板２の取付壁部２１は常に鉛直方向になっている。そして、屋根Ｒや地面などの設置場所の傾斜角度が変化すると、後座板の接触壁部１３及び前座板の接触壁部２３における屋根Ｒや地面などとの接触部が変化するように構成されている。
【００３３】
以上のように構成されたエアコン室外機の屋根置台によれば、次の効果を奏することができる。
（１）ステー６を連結部材５の貫通穴部５１内に貫通させてスライド式に移動可能かつ固定可能としているので、固定する貫通位置を設定することによりベース４の前端部の高さを所定位置に調節することができる。
【００３４】
（２）また、この場合において、ベース４に載置されるエアコンの荷重によるモーメントは、貫通穴部５１を形成する環状壁部５２の前壁５２ａ及び後壁５２ｂ（符号５２ｂについては図６及び図７参照）により支持されるため、従来のようにボルト止めをした場合であっても、ボルト周辺に局部的に力が作用することがない。なお、このため、局部的な力によるステー６又は連結部材５の変形や破損を回避することができる。この結果、複雑な補強構造を形成することなく寿命を長くすることができる。
【００３５】
（３）また、連結部材５の高さ寸法が小さく形成されているので、すなわち、連結部材５の高さ寸法を、ベース４の内寸高さ寸法と略同一とされているので、ベース４の下面が前座板２の上面に当接する程度まで、ベース４の前端部の高さ位置を下げることができる。この結果、設置場所の傾斜角度の下限を小さくすることができ、使用範囲を拡大することができる。
【００３６】
（４）また、連結部材５は、貫通穴部５１を形成するように壁が環状に配置された環状壁部５２と一対の取付片５３とから構成されているので、連結部材５の強度及び剛性が大きくなる。
【００３７】
（５）また、連結部材５は、環状壁部５２と一対の取付片５３との間に段部５６が形成されて、環状壁部５２がベース４の内寸幅より幅広く形成されているので、この段部５６により連結部材５のベース４への差込の位置決めをすることができ、屋根置台の組立作業性が向上する。
【００３８】
（６）また、連結部材５は、高さ方向に押し出された押出型材として形成されているので、ステー６の平面形状に合致する平面形状の貫通穴部５１を容易に形成することができる、貫通穴部５１内におけるステー６のスライドを円滑に行うことができる。また、連結部材５を、見栄え良く形成することができる。
【００３９】
（７）また、連結部材５は、環状壁部５２の前壁５２ａにボルト孔５５を有し、ステー６は、前壁６１に長手方向に伸びるスリット６４を有し、このボルト孔５５とスリット６４とにまたがって挿入されるボルト６５により連結部材５とステー６とが固定され、これによりベース４の前端部とステー６とが固定的に連結されている。このため、前面からボルト締結操作ができるので、屋根置台の組立作業性が向上する。
【００４０】
（８）また、ステー６は、前壁６１、左右の側壁６２及び後壁６３を備えた筒状の押出型材からなり、前壁６１におけるスリット６４の内側にはボルト６５の頭部６５ａをスライド式に収納する溝部６６が形成されているので、ステー６の強度が向上するとともに、ボルト６５の位置調製が容易になり、その結果締結作業が容易になる。また、ステー６の外形形状を、連結部材５の貫通穴部５１に対応する形状に設定することが容易となり、連結部材５の貫通穴部５１に対するステー６のスライドを円滑にすることができる。さらに、ステー６に型材を使用することにより、見栄えを良好にすることができる。
【００４１】
（９）ベース４は、上壁４１、左右の側壁４２及び下壁４３を備えた断面形状が略四角形であって、上壁４１には室外機取付用の防振材４４を取り付けるための長手方向のスリット４５を備えた押出型材から形成されている。したがって、ベース４の強度が向上するとともに、連結部材５の取付時において、連結部材５の一対の取付片５３をベース４の内部に挿入したときに、連結部材５がベース４に対する取付位置で仮保持されるので、屋根置台の組立作業性が向上する。また、ベース４の外観を向上させることができる。
【００４２】
（１０）後座板１、前座板２、支持部材３を構成するベース４、支持部材３を構成する連結部材５及び支持部材３を構成するステー６をアルミニウム製又はアルミ系合金製の押出型材により形成しているので、見栄えが良好になるとともに、軽量化されて取り扱いが容易になり作業性が向上する。
【００４３】
以上説明した本実施の形態に係るエアコン室外機の屋根置台は、一例を示すものであり、本発明の範囲内において適宜変更できるものである。例えば、次のように変形することができる。
【００４４】
（１）上記実施の形態において、特許文献１〜３に示す従来技術Ａのようにベース４の後端部を後座板１に対し回動自在に取り付けるようにしたり、あるいは、ステー６の下端部を前座板２に対し回動自在に取り付けるようにしたりするように、後座板１及びステー６を変更してもよい。
【００４５】
（２）上記実施の形態において、後座板１、前座板２、支持部材を形成するベース４、連結部材５及びステー６をアルミニウム、アルミ系合金などの押出型材とせずに、鋼板製板金により形成したものとしてもよい。ただし、この場合は見栄えが悪くなり、重量が大きくなるので作業性も悪くなる。
【００４６】
（３）連結部材５における環状壁部５２を形成する後壁５２ｂを省略したものとすることもできる。このようにした場合は、ステー６を貫通させる貫通穴部５１は、ベース４の前端と連結部材５の前壁５２ａとの間に形成される。ただし、このものは、上記実施の形態の場合に比し、連結部材５の強度が低下することは否めない。
【産業上の利用可能性】
【００４７】
本発明に係るエアコン室外機の屋根置台は、屋根や地上などに設置されるエアコン室外機の置台として利用される。エアコン室外機は、家庭用、業務用を問わない。
【図面の簡単な説明】
【００４８】
【図１】本発明の実施の形態に係るエアコン室外機の屋根置台におけるステーの取付部を示した斜視図である。
【図２】同エアコン室外機の屋根置台の据付状態の斜視図である。
【図３】同エアコン室外機の屋根置台据付状態の側面図であって、屋根の傾斜角度が大きい屋根上に据え付けられた状態のものである。
【図４】同エアコン室外機の屋根置台において、ベースの後端部を後座板に取り付けている部分の断面図である。
【図５】同エアコン室外機の屋根置台において、ステーの下端部を前座板に取り付けている部分の断面図である。
【図６】同エアコン室外機の屋根置台における連結部材とベースの分解斜視図である。
【図７】同エアコン室外機の屋根置台において、連結部材を介してステーとベースとを連結固定した状態における連結部の平断面図である。
【図８】同エアコン室外機の屋根置台におけるステーと連結部材との組立手順説明図であって、（ａ）は最初の手順であり、（ｂ）は次の手順を示す。
【図９】同エアコン室外機の屋根置台据付状態の側面図であって、設置面の傾斜角度が小さい屋根、地上等に据え付けられた状態のものである。
【符号の説明】
【００４９】
Ｒ…屋根、１…  後座板、２…前座板、３…支持部材、４…ベース、５…連結部材、６…ステー、４１…上壁、４２…側壁、４３…下壁、４４…防振材、４５…スリット、５１…貫通穴部、５２…環状壁部、５２ａ…前壁、５３…取付片，５５…ボルト孔、５６…段部、６１…前壁、６２…側壁、６３…後壁、６４…スリット、６５…ボルト、６５ａ…頭部、６６…溝部。
【図１】
2008045825.tif 000003
【図２】
2008045825.tif 000004
【図３】
2008045825.tif 000005
【図４】
2008045825.tif 000006
【図５】
2008045825.tif 000007
【図６】
2008045825.tif 000008
【図７】
2008045825.tif 000009
【図８】
2008045825.tif 000010
【図９】
2008045825.tif 000011